(57)【要約】【課題】本発明は、かご室壁の巾木台への結合作業を容易に短時間で行うことができるエレベータのかご室を得ることを目的とするものである。【解決手段】巾木台４の壁結合部４ｂには、壁結合部４ｂを貫通する矩形の挿通孔４ｄが設けられている。かご室壁２の下端部は、壁結合部４ｂ上に結合されている。かご室壁２の下端部には、ピン７が固定されている。ピン７は、挿通孔４ｄに挿通されている。ピン７の壁結合部４ｂから下方へ突出した部分には、フック状の抜け止め係合部７ａが設けられている。壁結合部４ｂの下面には、ピン７の挿通孔４ｄからの抜けを阻止して壁結合部４ｂにかご室壁２の下端部を結合する抜け止め機構８が設けられている。【選択図】図４
2010116217.tif 000002
【特許請求の範囲】
【請求項１】
かご床、
上記かご床上に固定されているベース部と、挿通孔が設けられており上記ベース部の上方に位置している壁結合部とを有している巾木台、
下端部が上記壁結合部上に設けられているかご室壁、
上記かご室壁の下端部に固定され、かつ上記挿通孔に挿通されており、上記壁結合部から下方へ突出した部分に抜け止め係合部が設けられている挿通部材、
上記壁結合部の下面に設けられ、上記抜け止め係合部に係合する係合位置と、上記抜け止め係合部との係合が解除される解除位置との間で変位可能であり、上記抜け止め係合部に係合して上記挿通部材の上方への変位を規制する変位規制部材、及び
上記変位規制部材を上記係合位置へ付勢する付勢手段
を備え、
上記変位規制部材は、上記挿通部材の上記挿通孔への挿通時に上記挿通部材により押圧されることにより上記付勢手段に抗して上記解除位置へ変位され、上記かご室壁が上記壁結合部上に結合される位置まで上記挿通部材が移動されると、上記付勢手段により上記係合位置に変位されることを特徴とするエレベータのかご室。
【請求項２】
上記変位規制部材は、手動操作により上記解除位置へ変位可能となっていることを特徴とする請求項１記載のエレベータのかご室。
【請求項３】
上記変位規制部材は、第１及び第２の変位規制部材を含み、
上記第１の変位規制部材は、上記抜け止め係合部に係合する第１の係合部と、上記第１の係合部に平行な第１の操作部と、上記第１の係合部と上記第１の操作部とを連結する第１の連結部とを有し、
上記第２の変位規制部材は、上記第１の係合部とは反対側で上記抜け止め係合部に係合する第２の係合部と、上記第２の係合部に平行な第２の操作部と、上記第２の係合部と上記第２の操作部とを連結する第２の連結部とを有し、
上記第１の係合部は、上記第２の係合部と上記第２の操作部との間に配置されており、
上記第２の係合部は、上記第１の係合部と上記第１の操作部との間に配置されており、
上記付勢手段は、上記第１の係合部と上記第２の操作部との間に配置された第１の付勢手段と、上記第２の係合部と上記第１の操作部との間に配置された第２の付勢手段とを含み、
上記第１及び第２の操作部を互いに近付ける方向へ押圧することにより、上記第１及び第２の係合部が互いに引き離されて上記抜け止め係合部との係合が解除されることを特徴とする請求項２記載のエレベータのかご室。
【請求項４】
上記挿通部材には、断面鋸歯状の溝部が設けられており、
上記変位規制部材には、上記溝部に噛み合う噛合部が設けられていることを特徴とする請求項１から請求項３までのいずれか１項に記載のエレベータのかご室。
【発明の詳細な説明】
【技術分野】
【０００１】
この発明は、巾木台上にかご室壁の下端部が結合されているエレベータのかご室に関するものである。
【背景技術】
【０００２】
従来のエレベータのかご室では、巾木台上にかご室壁の下端部がボルト及びナットを用いて結合されている（例えば、特許文献１参照）。
【０００３】
【特許文献１】実開昭５２−１２２４６５号公報
【発明の開示】
【発明が解決しようとする課題】
【０００４】
上記のような従来のかご室壁と巾木台との結合構造では、ボルト及びナットが用いられているため、結合作業に工具が必要であり手間がかかっていた。
【０００５】
この発明は、上記のような課題を解決するためになされたものであり、かご室壁の巾木台への結合作業を容易に短時間で行うことができるエレベータのかご室を得ることを目的とする。
【課題を解決するための手段】
【０００６】
この発明に係るエレベータのかご室は、かご床、かご床上に固定されているベース部と、挿通孔が設けられておりベース部の上方に位置している壁結合部とを有している巾木台、下端部が壁結合部上に設けられているかご室壁、かご室壁の下端部に固定され、かつ挿通孔に挿通されており、壁結合部から下方へ突出した部分に抜け止め係合部が設けられている挿通部材、壁結合部の下面に設けられ、抜け止め係合部に係合する係合位置と、抜け止め係合部との係合が解除される解除位置との間で変位可能であり、抜け止め係合部に係合して挿通部材の上方への変位を規制する変位規制部材、及び変位規制部材を係合位置へ付勢する付勢手段を備え、変位規制部材は、挿通部材の挿通孔への挿通時に挿通部材により押圧されることにより付勢手段に抗して解除位置へ変位され、かご室壁が壁結合部上に結合される位置まで挿通部材が移動されると、付勢手段により係合位置に変位される。
【発明の効果】
【０００７】
この発明のエレベータのかご室は、かご室壁の下端部に固定された挿通部材を挿通孔に挿通することにより、抜け止め係合部に変位規制部材が係合し、挿通部材の上方への変位が規制されるので、かご室壁の巾木台への結合作業を容易に短時間で行うことができる。
【発明を実施するための最良の形態】
【０００８】
以下、この発明を実施するための最良の形態について、図面を参照して説明する。
実施の形態１．
図１はこの発明の実施の形態１によるエレベータのかご室を室内から見た正面図、図２は図１のかご室を示す概略の平面図である。図において、かご床１上には、複数枚のかご室壁（壁パネル）２が並べて配置されている。かご室壁２の下端部とかご床１との間には、帯状の巾木３が設けられている。
【０００９】
図３は図１のかご室壁２の下端部の支持構造を示す断面図、図４は図３のかご室壁２を巾木台４に結合する前の状態を示す分解斜視図である。かご床１上には、断面コ字状の巾木台４が固定されている。巾木台４は、開口がかご室内に臨む向きで固定されている。巾木３は、巾木台４の開口を塞ぐように巾木台４に取り付けられている。また、巾木３は、かご室内から着脱可能に巾木台４に取り付けられている。なお、巾木台４に対する巾木３の取付構造の詳細な説明は、ここでは省略する。
【００１０】
巾木台４は、かご床１上に固定されている平板状のベース部４ａと、ベース部４ａの上面に対向してベース部４ａの上方に位置している壁結合部４ｂと、ベース部４ａの一端部と壁結合部４ｂの一端部との間に設けられている垂直部４ｃとを有している。壁結合部４ｂには、壁結合部４ｂを貫通する複数の矩形の挿通孔４ｄ（図４）が巾木台４の長手方向に互いに間隔をおいて設けられている。かご室壁２の下端部は、壁結合部４ｂ上に結合されている。
【００１１】
かご室壁２は、かご室内に臨む壁本体５と、壁本体５の下端部の裏面に固定された断面Ｌ字状のアングル部材６とを有している。アングル部材６の下面は、壁結合部４ｂの上面に重ね合わされている。
【００１２】
かご室壁２の下端部には、挿通部材としての断面矩形の複数のピン７が固定されている。各ピン７は、溶接等により工場でアングル部材６に予め固定されている。また、各ピン７は、アングル部材６の下面から下方へ突出している。例えば、１枚のかご室壁２に対して２個のピン７を固定する場合、ピン７は、各かご室壁２の幅方向両端部近傍に配置される。
【００１３】
ピン７は、挿通孔４ｄに挿通されている。即ち、挿通孔４ｄは、ピン７に対応する位置に設けられている。ピン７の壁結合部４ｂから下方へ突出した部分には、フック状の抜け止め係合部７ａ（図４）が設けられている。また、ピン７の先端面（下端面）には、円弧状の曲面部７ｂが設けられている。
【００１４】
壁結合部４ｂの下面には、ピン７の挿通孔４ｄからの抜けを阻止して壁結合部４ｂにかご室壁２の下端部を結合する抜け止め機構８が設けられている。
【００１５】
図５は図３の抜け止め機構８の断面図、図６は図３の抜け止め機構８を示す斜視図、図７は図６の抜け止め機構８のカバー９を取り除いた状態を示す平面図である。抜け止め機構８は、中空の四角柱状のカバー９と、カバー９内に挿入された金属製の第１及び第２の変位規制部材１０，１１と、第１及び第２の変位規制部材１０，１１間に設けられた第１及び第２の付勢手段としての第１及び第２のばね（圧縮ばね）１２，１３とを有している。
【００１６】
カバー９は、中空の四角柱状の外形を有している。また、カバー９には、ピン７が挿通される挿通孔９ａが設けられている。
【００１７】
第１及び第２の変位規制部材１０，１１は、抜け止め係合部７ａに係合してピン７の上方への変位を規制する。また、第１及び第２の変位規制部材１０，１１は、抜け止め係合部７ａに係合する係合位置（図５）と、抜け止め係合部７ａとの係合が解除される解除位置との間で、カバー９の内面に沿って水平方向へスライド変位可能になっている。
【００１８】
第１の変位規制部材１０は、抜け止め係合部７ａに係合する第１の係合部１０ａと、第１の係合部１０ａに平行な第１の操作部１０ｂと、第１の係合部１０ａの一端部と第１の操作部１０ｂ一端部とを連結する第１の連結部１０ｃとを有している。
【００１９】
第２の変位規制部材１１は、第１の係合部１０ａとは反対側で抜け止め係合部７ａに係合する第２の係合部１１ａと、第２の係合部１１ａに平行な第２の操作部１１ｂと、第２の係合部１１ａの一端部と第２の操作部１１ｂの一端部とを連結する第２の連結部１１ｃとを有している。
【００２０】
第１及び第２の変位規制部材１０，１１は、図７に示すように、同様のコ字状の平面形状を有しており、互いに逆向きに（対称に）配置されている。また、第１の係合部１０ａは、第２の係合部１１ａと第２の操作部１１ｂとの間に配置されており、第２の係合部１１ａは、第１の係合部１０ａと第１の操作部１０ｂとの間に配置されている。
【００２１】
さらに、第１の係合部１０ａ、第１の操作部１０ｂ、第２の係合部１１ａ、及び第２の操作部１１ｂは互いに平行に配置されている。さらにまた、第１及び第２の連結部１０ｃ，１１ｃは、互いに平行、かつ第１及び第２の係合部１０ａ，１１ａに直角に配置されている。
【００２２】
第１のばね１２は、第１の係合部１０ａと第２の操作部１１ｂとの間に配置されている。第２のばね１３は、第２の係合部１１ａと第１の操作部１０ｂとの間に配置されている。第１及び第２のばね１２，１３は、第１及び第２の変位規制部材１０，１１を係合位置へ付勢する。
【００２３】
第１及び第２の操作部１０ｂ，１１ｂは、カバー９の両端部から突出している。図８に示すように、第１及び第２の操作部１０ｂ，１１ｂを互いに近付ける方向へ押圧することにより、第１及び第２の係合部１０ａ，１１ａが互いに引き離されて抜け止め係合部７ａとの係合が解除される。即ち、第１及び第２の変位規制部材１０，１１は、手動操作により解除位置へ変位可能となっている。
【００２４】
図９は図５のかご室壁２を巾木台４上に取り付ける途中の状態を示す断面図である。第１及び第２の変位規制部材１０，１１は、ピン７の挿通孔４ｄへの挿通時にピン７により押圧されることにより第１及び第２のばね１２，１３に抗して解除位置へ変位される。そして、かご室壁２が壁結合部４ｂ上に結合される位置までピン７が移動されると、第１及び第２の変位規制部材１０，１１は、第１及び第２のばね１２，１３の復元力により自動的に係合位置に変位される。
【００２５】
第１及び第２の係合部１０ａ，１１ａの上面には、先端へ向けて板厚が小さくなるように傾斜がそれぞれ付されている。これらの傾斜面にピン７の曲面部７ｂが押し当てられることにより、第１及び第２の変位規制部材１０，１１は解除位置へ変位される。
【００２６】
このようなエレベータのかご室では、かご室壁２の下端部に固定されたピン７を挿通孔４ｄに挿通することにより、抜け止め係合部７ａに第１及び第２の変位規制部材１０，１１が係合し、ピン７の上方への変位が規制されるので、ボルト及びナットを用いずに、かご室壁２の巾木台４への結合作業を容易に短時間で行うことができる。また、結合後は、第１及び第２のばね１２，１３による締付力により、かご室壁２と巾木台４との結合状態を強固に保つことができる。
【００２７】
また、第１及び第２の変位規制部材１０，１１は、かご室内からの手動操作により解除位置へ変位可能となっているので、かご室壁２を交換する際、かご室壁２を容易に取り外すことができる。
【００２８】
さらに、第１及び第２の操作部１０ｂ，１１ｂを互いに近付ける方向へ押圧することにより、第１及び第２の係合部１０ａ，１１ａが互いに引き離されて抜け止め係合部７ａとの係合が解除されるようになっているので、簡単な操作により第１及び第２の変位規制部材１０，１１を解除位置へ変位させることができる。
【００２９】
実施の形態２．
次に、図１０はこの発明の実施の形態２による抜け止め機構８の断面図である。図において、ピン７の側面には、断面鋸歯状の溝部７ｃ，７ｄが設けられている。また、第１及び第２の変位規制部材１０，１１には、溝部７ｃ，７ｄに噛み合う鋸歯状の第１及び第２の噛合部１０ｄ，１１ｄが設けられている。他の構成は、実施の形態１と同様である。
【００３０】
このようなエレベータのかご室では、かごに異常振動が発生した場合でも、噛合部１０ｄ，１１ｄが溝部７ｃ，７ｄに噛み合うことと、第１及び第２のばね１２，１３による締付力とによって、かご室壁２と巾木台４との結合状態をさらに強固に保つことができる。
【００３１】
なお、上記の例では、フック状の抜け止め係合部７ａを示したが、抜け止め係合部の形状はこれに限定されるものではなく、例えば凹部であってもよい。また、挿通部材として円柱状のピンを用い、抜け止め係合部としてピンの下端部全周にフランジ部を設けてもよい。
また、上記の例では、挿通部材としてピン７を示したが、挿通部材はこれに限定されるものではなく、例えばブロック状（直方体状）の部材であってもよい。
【図面の簡単な説明】
【００３２】
【図１】この発明の実施の形態１によるエレベータのかご室を室内から見た正面図である。
【図２】図１のかご室を示す概略の平面図である。
【図３】図１のかご室壁の下端部の支持構造を示す断面図である。
【図４】図３のかご室壁を巾木台に結合する前の状態を示す分解斜視図である。
【図５】図３の抜け止め機構の断面図である。
【図６】図３の抜け止め機構を示す斜視図である。
【図７】図６の抜け止め機構のカバーを取り除いた状態を示す平面図である。
【図８】図７の第１及び第２の変位規制部材を解除位置へ変位させた状態を示す平面図である。
【図９】図５のかご室壁を巾木台上に取り付ける途中の状態を示す断面図である。
【図１０】この発明の実施の形態２による抜け止め機構の断面図である。
【符号の説明】
【００３３】
１  かご床、２  かご室壁、４  巾木台、４ａ  ベース部、４ｂ  壁結合部、４ｄ  挿通孔、７  ピン（挿通部材）、７ａ  抜け止め係合部、７ｃ，７ｄ  溝部、１０  第１の変位規制部材、１０ａ  第１の係合部、１０ｂ  第１の操作部、１０ｃ  第１の連結部、１０ｄ  第１の噛合部、１１ａ  第２の係合部、１１ｂ  第２の操作部、１１ｃ  第２の連結部、１１ｄ  第２の噛合部、１２  第１のばね（第１の付勢手段）、１３  第２のばね（第２の付勢手段）。
【図１】
2010116217.tif 000003
【図２】
2010116217.tif 000004
【図３】
2010116217.tif 000005
【図４】
2010116217.tif 000006
【図５】
2010116217.tif 000007
【図６】
2010116217.tif 000008
【図７】
2010116217.tif 000009
【図８】
2010116217.tif 000010
【図９】
2010116217.tif 000011
【図１０】
2010116217.tif 000012